【手続補正書】
【提出日】平成29年12月4日(2017.12.4)
【手続補正１】
【補正対象書類名】特許請求の範囲
【補正対象項目名】全文
【補正方法】変更
【補正の内容】
【特許請求の範囲】
【請求項１】
負荷温度（ＴＬ）を有する負荷と周囲温度（ＴＡ）を有する周囲環境との間で受動的に熱を輸送するように構成された第１熱伝導経路と、前記負荷と前記周囲環境との間で能動的に熱を輸送するように構成された第２熱伝導経路と、を備えるハイブリッド熱輸送システムであり、前記第２熱伝導経路は固体状ヒートポンプを備え、前記第１及び第２熱伝導経路はそれぞれ、前記負荷へと、または前記負荷から熱を輸送するための自己の独立した熱交換器を備え、前記第１及び第２熱伝導経路はそれぞれ、前記周囲環境へと、または前記周囲環境から熱を輸送するための自己の独立した熱交換構成要素を備え、かつ前記第１熱伝導経路は、前記第２熱伝導経路から前記第１熱伝導経路への熱輸送及び前記負荷への戻りを防ぐために前記第１及び第２熱伝導経路を切り離す隙間によって前記第２熱伝導経路から分けられている、ハイブリッド熱輸送システム。
【請求項２】
前記固体状ヒートポンプが、起動状態または停止状態のいずれかであり、前記固体状ヒートポンプが前記起動状態にある時、熱が前記第２熱伝導経路を通じて能動的に輸送され、前記固体状ヒートポンプが停止状態にある時、熱が第２熱伝導経路を通じて能動的に輸送されない、請求項１に記載のハイブリッド熱輸送システム。
【請求項３】
前記第１及び第２熱伝導経路が、前記負荷へと、または前記負荷から熱を輸送するための一般的な熱交換構成要素を共有する、請求項１に記載のハイブリッド熱輸送システム。
【請求項４】
前記第１及び第２熱伝導経路がそれぞれ、前記周囲環境へと、または前記周囲環境から熱を輸送するための自己の独立した熱交換構成要素を備える、請求項３に記載のハイブリッド熱輸送システム。
【請求項５】
前記第１熱伝導経路が、前記負荷と前記周囲環境との間に直列の熱ダイオードを備える、請求項４に記載のハイブリッド熱輸送システム。
【請求項６】
前記第２熱伝導経路が、前記負荷と前記固体状ヒートポンプとの間に直列の熱ダイオードを含む、請求項４に記載のハイブリッド熱輸送システム。
【請求項７】
前記第２熱伝導経路が、前記負荷と前記固体状ヒートポンプとの間に直列の熱キャパシタを含む、請求項４に記載のハイブリッド熱輸送システム。
【請求項８】
前記第２熱伝導経路が、前記負荷と前記固体状ヒートポンプとの間に直列の熱ダイオード及び熱キャパシタを含む、請求項４に記載のハイブリッド熱輸送システム。
【請求項９】
前記第１熱伝導経路が、第２固体状ヒートポンプを含む、請求項８に記載のハイブリッド熱輸送システム。
【請求項１０】
前記第１及び第２熱伝導経路が、前記周囲環境へと、または前記周囲環境から熱を輸送するための前記一般的な熱交換構成要素を共有する、請求項３に記載のハイブリッド熱輸送システム。
【請求項１１】
前記第１熱伝導経路が、前記負荷と前記周囲環境との間に直列の熱ダイオードを備える、請求項１０に記載のハイブリッド熱輸送システム。
【請求項１２】
前記第１及び第２熱伝導経路が、前記周囲環境へと、または前記周囲環境から熱を輸送するための一般的な熱交換構成要素を共有する、請求項１に記載のハイブリッド熱輸送システム。
【請求項１３】
前記第１及び第２熱伝導経路がそれぞれ、前記周囲環境へと、または前記周囲環境から熱を輸送するための自己の独立した熱交換構成要素を備える、請求項１に記載のハイブリッド熱輸送システム。
【請求項１４】
前記第１熱伝導経路が、前記負荷と前記周囲環境との間に直列の熱ダイオードを備える、請求項１に記載のハイブリッド熱輸送システム。
【請求項１５】
前記熱ダイオードが、熱サイフォンを備える、請求項１４に記載のハイブリッド熱輸送システム。
【請求項１６】
前記第２熱伝導経路が、前記負荷と前記周囲環境との間に直列の熱ダイオードを含む、請求項１に記載のハイブリッド熱輸送システム。
【請求項１７】
前記熱ダイオードが、前記負荷と前記固体状ヒートポンプとの間で直列である、請求項１６に記載のハイブリッド熱輸送システム。
【請求項１８】
前記第２熱伝導経路が、前記負荷と前記周囲環境との間に直列の熱キャパシタを含む、請求項１に記載のハイブリッド熱輸送システム。
【請求項１９】
前記熱キャパシタが、相変化材料及び／または熱質量を備える、請求項１８に記載のハイブリッド熱輸送システム。
【請求項２０】
前記第２熱伝導経路が、前記負荷と前記周囲環境との間に直列の熱ダイオード、熱キャパシタ、及び前記固体状ヒートポンプを含む、請求項１に記載のハイブリッド熱輸送シス テム。
【請求項２１】
負荷温度（ＴＬ）を有する負荷から周囲温度（ＴＡ）を有する周囲環境へと熱を輸送するための熱伝導経路を備えるハイブリッド熱輸送システムであり、前記熱伝導経路は、相変化材料及び格納温度（ＴＳ）を備える熱キャパシタと、固体状ヒートポンプと、前記固体状ヒートポンプは前記固体状ヒートポンプによって熱が能動的に輸送される間は起動状態であり、かつ前記固体状ヒートポンプによって熱が能動的に輸送されない間は停止状態であり、前記負荷と前記周囲環境との間で直列に接続された熱ダイオードと、を備える、ハイブリッド熱輸送システム。
【請求項２２】
前記熱キャパシタが、熱質量をさらに備える、請求項２１に記載のハイブリッド熱輸送システム。
【請求項２３】
前記熱キャパシタの第１側が前記負荷に接しており、前記固体状ヒートポンプの第１側が前記熱キャパシタの第２側に接しており、前記熱ダイオードの第１側が前記固体状ヒートポンプの第２側に接しており、かつ前記熱ダイオードの第２側が熱を前記周囲環境へと輸送する、請求項２１に記載のハイブリッド熱輸送システム。
【請求項２４】
負荷の能動的加熱及び／または冷却のための第１構成要素と、前記第１構成要素の動作は少なくとも１つの制御入力によって制御され、アルゴリズムに従って少なくとも１つの制御入力を介して前記第１構成要素の前記動作を制御するために構成された制御システムと、を備えるハイブリッド熱輸送システム。
【請求項２５】
前記負荷の受動的加熱及び／または冷却のための第２構成要素をさらに備える、請求項２４に記載のハイブリッド熱輸送システム。
【請求項２６】
前記制御システムが、少なくとも１つの温度センサと、ハードウェアを有する少なくとも１つの温度センサから温度情報を受信し、前記第１構成要素の所望動作を判断するためにアルゴリズムに従って情報を処理し、かつ前記第１構成要素の前記動作を制御するよう構成されたコントローラと、を備える、請求項２４に記載のハイブリッド熱輸送システム。
【請求項２７】
前記コントローラが、前記コントローラと前記第１構成要素との間の電気回路を起動し、かつ切り替えることで前記第１構成要素の前記動作を制御する、請求項２６に記載のハイブリッド熱輸送システム。
【請求項２８】
負荷温度(ＴＬ)を有する負荷と周囲温度(ＴＡ)を有する周囲環境との間で受動的に熱を輸送するための第１熱伝導経路及び前記負荷と前記周囲環境との間で能動的に熱を輸送するための第２熱伝導経路を有し、前記第２経路がヒートポンプを含むハイブリッド熱輸送システムを制御する方法は、ＴＬ及びＴＡの値を監視することと、ＴＬが第１閾値ＴＬＨよりも大きいという判断、ＴＡがＴＬよりも大きいかまたは等しいという判断により、熱が前記第２熱伝導経路を介して前記負荷から前記周囲環境へと能動的に輸送されるように前記ヒートポンプを起動することと、ＴＡがＴＬよりも小さいという判断により、熱が前記第２熱伝導経路を介して前記負荷から前記周囲環境へと能動的に輸送されないように前記ヒートポンプを停止することと、ＴＬが第２閾値ＴＬＬよりも小さいという判断、ＴＡがＴＬよりも小さいかまたは等しいという判断により、熱が前記第２経路を介して前記周囲環境から前記負荷へと能動的に輸送されるように前記ヒートポンプを起動することと、ＴＡがＴＬよりも大きいという判断により、熱が前記第２経路を介して前記周囲環境から前記負荷へと能動的に輸送されないように前記ヒートポンプを停止することと、ＴＬＬ≦ＴＬ≦ＴＬＨであるという判断により、前記ヒートポンプの前記現在の動作状態を変更し ないことと、を備える方法。